(57)【要約】      （修正有）【課題】使用者が把持したときに握り易く、また、壜体を持ち上げたときに滑り難い取手を提供する。【解決手段】壜体１にその高さ方向Ｈに延在させた状態で設けられた取手２であって、高さ方向Ｈの下側部分には、この取手２を把持した状態で瓶体１を持ち上げたときに指が引っ掛けられる凹部２０が設けられている。使用者が把持したときに、指が凹部の内面に当接されるため、握り易さ（グリップ感）を向上させることができる。また、壜体を持ち上げたときに、凹部に上記指が引っ掛かるため、滑り防止を図ることができる。【選択図】図１
2008213855.tif 000002
【特許請求の範囲】
【請求項１】
壜体にその高さ方向に延在させた状態で設けられた取手であって、
前記高さ方向の下側部分には、この取手を把持した状態で前記瓶体を持ち上げたときに指が引っ掛けられる凹部が設けられていることを特徴とする取手。
【請求項２】
請求項１に記載の取手において、
前記壜体の外周面に対向する内面部分に前記凹部が設けられていることを特徴とする取手。
【請求項３】
請求項１または２に記載の取手において、
前記壜体との間に形成される開口部の開口方向における端部に位置する側面部分に前記凹部が設けられていることを特徴とする取手。
【請求項４】
請求項１から３のいずれかに記載の取手において、
ブロー成形により前記壜体と一体に形成されていることを特徴とする取手。
【発明の詳細な説明】
【技術分野】
【０００１】
本発明は、壜体に設けられる取手に関する。
【背景技術】
【０００２】
従来から、液体等の内容物を収容する壜体には、使用者が把持するための取手を設ける技術が提供されている。従来の取手としては、例えば、壜体の上胴部に縦長の開口を形成することによって壜体と一体に形成されたものがある。この取手によれば、使用者が当該取手を把持して壜体を持ち上げ傾けることで、壜体内の内容物を注ぐことができる。
（例えば、特許文献１参照。）。
【特許文献１】実開昭５６−１００３１０号公報
【発明の開示】
【発明が解決しようとする課題】
【０００３】
しかしながら、上記した従来の取手では、取手の表面が平坦になっているため、当該取手を把持して壜体を持ち上げたときに、滑り易く、また、握り難いという問題がある。
【０００４】
本発明は、上記した従来の問題が考慮されたものであり、取手を把持して持ち上げたときに、滑り難く、しかも、握り易い取手を提供することを目的としている。
【課題を解決するための手段】
【０００５】
本発明に係る取手は、壜体にその高さ方向に延在させた状態で設けられた取手であって、前記高さ方向の下側部分には、この取手を把持した状態で前記瓶体を持ち上げたときに指が引っ掛けられる凹部が設けられていることを特徴としている。
【０００６】
このような特徴により、使用者が当該取手を把持した際、指が凹部の内面に当接される。そして、壜体を持ち上げた際、凹部に上記指が引っ掛かる。
【０００７】
また、本発明に係る取手は、前記壜体の外周面に対向する内面部分に前記凹部が設けられていることが好ましい。
【０００８】
これにより、壜体を傾けて注ぐ際、内面部分の凹部に引っ掛かる指が回転軸として作用する。
【０００９】
また、本発明に係る取手は、前記壜体との間に形成される開口部の開口方向における端部に位置する側面部分に前記凹部が設けられていることが好ましい。
【００１０】
これにより、当該取手を把持した際、指の先端部分が凹部の内面に当接し、壜体を持ち上げた際、指の先端部分が凹部に引っ掛かる。
【００１１】
また、本発明に係る取手は、ブロー成形により前記壜体と一体に形成されていることが好ましい。
【００１２】
これにより、壜体を成形する際に、取手が同時に形成される。
【発明の効果】
【００１３】
本発明に係る取手によれば、使用者が把持したときに、指が凹部の内面に当接されるため、握り易さ（グリップ感）を向上させることができる。また、壜体を持ち上げたときに、凹部に上記指が引っ掛かるため、滑り防止を図ることができる。
【発明を実施するための最良の形態】
【００１４】
以下、本発明に係る取手の実施の形態である取手２について、図面に基いて説明する。図１は取手２を備えた壜体１の側面図であり、図２は取手２を備えた壜体１を取手２側からみた背面図であり、図３は図１に示すＡ−Ａ間の断面図である。
なお、壜軸Ｏに沿った方向が壜体１の高さ方向Ｈ（図１における上下方向）である。また、後述する底部１５側が下方（図１における下側）であり、後述する口部１０側が上方（図１における上側）である。
【００１５】
図１、図２に示すように、取手２は、壜体１を持ち上げたり壜体１を傾けて壜体１内の内容物を注いだりする際に使用者が把持するものであり、壜体１の上部（壜体１の高さ方向Ｈの中央部１２より口部１０側の部分）に設けられている。なお、壜体１および取手２は、例えばポリエチレン、ポリプロピレン、ポリエチレンテレフタレート等の合成樹脂からなる容器であり、ブロー成形により一体に成形される。
【００１６】
取手２は、上側に向かうに従い漸次径が小さくなる壜体１の肩部１１から壜体１の高さ方向Ｈの中央部１２にかけて設けられ、高さ方向Ｈに延設されている。取手２と壜体１との間には、壜軸Ｏに直交する水平方向に沿って貫通する開口部１３が形成されている。すなわち、壜体１の外周面１ａとの間に開口部１３が形成されるように、取手２の長さ方向の両端部が壜体１に連結されている。なお、上記した開口部１３は、例えば、縦に揃えた４本の指を挿入できるだけの高さを有しており、取手２は、片手で把握できるだけの長さを有している。また、取手２は、片手で把握できる程度の径の部材である。
【００１７】
また、図３に示すように、取手２は、横断面形状が山形を成す部材であり、壜体１の外周面１ａに対向する内面部分２ａと、開口部１３の開口方向Ｙの両側の側面部分２ｂ，２ｂと、内面部分２ａの反対側の外面部分２ｃと、から構成されている。なお、図示の例では、内面部分２ａは、壜体１の外周面１ａに向けて凸の曲面状を成している。
【００１８】
図１〜図３に示すように、取手２には、取手２を把持した際に小指の腹部分が当接される凹部２０が設けられている。この凹部２０は、取手２の高さ方向Ｈの下側部分に設けられており、壜体１の高さ方向Ｈの中央位置（口部１０と壜底部１５との中央の高さの位置）に配設されている。また、凹部２０は、取手２の下部のうち外面部分２ｃ以外の部分、すなわち、取手２の下部において内面部分２ａ及び両側の側面部分２ｂ，２ｂにそれぞれ形成されている。
【００１９】
凹部２０は、取手２の周方向に延在する溝であり、一方の側面部分２ｂから内面部分２ａを経て他方の側面部分２ｂまで延設されている。また、凹部２０は、高さ方向Ｈに沿って湾曲する湾曲面により形成されている。また、凹部２０は、取手２を把持したときに、小指で壜体１の荷重の一部を支持可能な大きさのものであり、凹部２０の幅（高さ方向Ｈの寸法）は小指の幅よりも大きくすることが好ましい。例えば、凹部２０の深さは、１〜２ｍｍ程度であり、凹部２０の内面（湾曲面）の曲率半径は１５ｍｍ程度であり、凹部２０の幅は２０ｍｍ程度である。
【００２０】
一方、取手２の外面部分２ｃには、高さ方向Ｈに延在する凹溝２１が２本平行に形成されている。この凹溝２１は、外面部分２ｃの幅方向（開口部１３の開口方向Ｙ）の中央位置に形成されている。また、凹溝２１は、取手２の下端から壜体１の肩部１１にかけて形成されている。
【００２１】
また、凹部２０を含む取手２の表面全体には、粗面加工（例えばシボ加工等）が施されている。なお、上記粗面加工は、少なくとも側面部分２ｂ（側面部分２ｂの凹部２０を含む。）の一部に施されていればよく。例えば、凹部２０を含む内面部分２ａ及び側面部分２ｂに粗面加工が施されて外面部分２ｃに粗面加工が施されていなくてもよく、或いは、側面部分２ｂ（側面部分２ｂの凹部２０を含む。）にのみ粗面加工が施されていてもよく、或いは、側面部分２ｂの凹部２０にのみ粗面加工が施されていてもよく、或いは、凹部２０を除く側面部分２ｂに対して全体的又は部分的に粗面加工が施されていてもよい。さらに、粗面加工を内面部分２ａの少なくとも一部に設ける構成としてもよい。
【００２２】
また、壜体１の肩部１１の外周面には、取手２を把持した際に親指の腹部分が当接される陥没部１４が形成されている。この陥没部１４は、壜体１の内方に球面状に凹んだものであり、取手２の直上の位置に配設されている。
【００２３】
次に、上記した構成からなる取手２の作用について説明する。
【００２４】
使用者が取手２を把持する際には、親指以外の４本の指を開口部１３内に挿入し、当該４本の指で取手２を把握するとともに、親指の腹部分を陥没部１４に当接させる。このとき、小指の中間部の腹部分が、内面部分２ａの凹部２０の内面に当接され、取手２の下部を両側から挟み込む小指の先端部および根元部が、両側の側面部分２ｂの凹部２０の内面にそれぞれ当接される。
【００２５】
また、壜体１内の内容物を注ぐ際には、取手２を把持した状態で壜体１を持ち上げて傾ける。このとき、小指の中間部の腹部分が内面部分２ａの凹部２０に引っ掛かり、当該小指の中間部が回転軸として作用して壜体１が回転する。また、小指の先端部および根元部は、両側の側面部分２ｂの凹部２０にそれぞれ引っ掛かる。
【００２６】
上記した構成からなる取手２によれば、使用者が取手２を把持したときに、小指の腹部分が凹部２０の内面に当接されるため、握り易さを向上させることができる。
また、壜体１を持ち上げたときに、凹部２０に小指が引っ掛かるため、滑り防止を図ることができる。
【００２７】
また、取手２の内面部分２ａに凹部２０が形成されているため、壜体１を傾けて内容物を注ぐ際、指が回転軸として作用し、壜体１を傾け易くなる。
【００２８】
また、取手２の側面部分２ｂに凹部２０が形成されているため、取手２を把持して壜体１を持ち上げるときに、小指の先端部が、側面部分２ｂの凹部２０に当接して引っ掛かるため、握り易さが一層向上するとともに更に滑り難くなる。また、取手２の両側の側面部分２ｂに凹部２０がそれぞれ形成されており、取手２を両側から挟む小指の先端部と根元部とがそれぞれ凹部２０に当接して引っ掛かるため、一層握り易くなるとともに滑り難くなる。また、取手２の両側の側面部分２ｂに凹部２０がそれぞれ形成されていることで、左右の何れの手で取手２を把持しても同等の握り易さ及び滑り難さを得ることができる。
【００２９】
また、取手２は、ブロー成形により壜体１と一体に形成されるため、壜体を成形する際に取手２が同時に形成される。このため、製作工程数を減らすことができ、製作コストを低減させることができる。
【００３０】
また、凹部２０が、壜体１の高さ方向Ｈの中央位置に配設されているため、取手２を把持して内容物を注ぐ際、壜体１の中央位置が回転中心となり、傾け易く、注ぎ易くなる。
また、凹部２０を含む取手２の表面に粗面加工が施されているため、滑り防止効果が向上する。
【００３１】
以上、本発明に係る取手の実施の形態について説明したが、本発明は上記した実施の形態に限定されるものではなく、その趣旨を逸脱しない範囲で適宜変更可能である。例えば、上記した実施の形態では、壜体１と一体に形成される取手２について説明したが、本発明に係る取手は、壜体と別に形成される別体の取手であってもよい。
【００３２】
また、上記した実施の形態では、凹部２０が、内面部分２ａ及び両側の側面部分２ｂ，２ｂにそれぞれ形成されているが、本発明は、側面部分２ｂ，２ｂに凹部２０を設けずに内面部分２ａにのみ凹部２０を形成した構成にすることも可能であり、或いは、内面部分２ａに凹部２０を設けずに両側又は何れか一方の側面部分２ｂ，２ｂにのみ凹部２０が形成された構成にすることも可能である。さらに、取手２の外面部分２ｃに凹部２０を設けることも可能である。
【００３３】
また、上記した実施の形態では、取手２の下端部に凹部２０が設けられているが、本発明は、これに限定されるものではなく、凹部２０は、取手２の長さ方向の中央位置よりも下側に設けられていればよい。
また、上記した実施の形態では、小指が引っ掛けられる凹部２０が設けられているが、本発明は、小指以外の指（薬指や中指等）が一本以上引っ掛けられる大きさの凹部であってもよい。
また、上記した実施の形態では、取手２の表面に粗面加工が施されているが、本発明は、上記粗面加工を施さない構成とすることも可能である。
【００３４】
その他、本発明の主旨を逸脱しない範囲で、上記した実施の形態における構成要素を周知の構成要素に置き換えることは適宜可能であり、例えば、取手２の断面形状や凹部２０の断面形状等は適宜変更可能である。また、上記した変形例を適宜組み合わせてもよい。
【図面の簡単な説明】
【００３５】
【図１】本発明の実施の形態を説明するための取手が設けられた壜体の側面図である。
【図２】本発明の実施の形態を説明するための取手が設けられた壜体の背面図である。
【図３】図１に示すＡ−Ａ間の断面図である。
【符号の説明】
【００３６】
１  壜体
２  取手
２ａ  内面部分
２ｂ  側面部分
１３  開口部
２０  凹部
【図１】
2008213855.tif 000003
【図２】
2008213855.tif 000004
【図３】
2008213855.tif 000005